(57)【特許請求の範囲】
【請求項１】
装着時に装着者の頭部と対向する面の少なくとも一部の領域で、前記頭部の外形よりも曲率の大きい湾曲形状を有し、
弾性力により前記湾曲形状を保持する形状保持部と、
外縁部で接合された表側基布及び裏側基布と、
前記表側基布及び前記裏側基布の間に配置された弾性部材と、
を備え、
前記弾性部材の厚みが略一定の面部と、
前記弾性部材の厚みが前記面部より厚い前記形状保持部と、
が形成され、
前記面部から前記形状保持部にかけて、滑らかな曲面を呈するように前記弾性部材の厚みが徐々に増していくことを特徴とするかつらベース。
【請求項２】
前記湾曲形状の平均曲率半径が、対向する前記装着者の頭部の平均曲率半径より小さいことを特徴とする請求項１に記載のかつらベース。
【請求項３】
装着時に、前記湾曲形状が前記装着者の頭頂部及び後頭部の一部を覆い、前記形状保持部が前記装着者の後頭部側に位置することを特徴とする請求項１または２に記載のかつらベース。
【請求項４】
平面形状が略円形であり、略円形の中央領域が最も高さが高くなった湾曲形状を有し、略円形の外径が１０ｃｍ以上１５ｃｍ以下の範囲内にあり、前記中央領域の高さが２ｃｍ以上５ｃｍ以下の範囲内にあることを特徴とする請求項１から３の何れか１項に記載のかつらベース。
【請求項５】
請求項１から４の何れか１項に記載のかつらベースに、複数の擬毛が、表面側から前記表側基布を貫通し、前記表側基布及び前記裏側基布の間で転回して、前記表側基布を貫通して表面側に出るように植設されたことを特徴とするかつら。
【請求項６】
装着時に、装着者の頭部と裏面との間に空間を有することを特徴とする請求項５に記載のかつら。
【発明の詳細な説明】
【技術分野】
【０００１】
本開示は、かつらベース及びかつらベースに擬毛を植設したかつらに関する。
【背景技術】
【０００２】
人の頭部に装着するかつらは、通常、かつらベースと称するベース部分に擬毛を植設することによって形成される。このようなかつらの中には、ボリュームアップ用、消臭用または汗吸収用の着脱可能なパッドを備えたかつらベースが提案されている（例えば、特許文献１参照）。
【先行技術文献】
【特許文献】
【０００３】
【特許文献１】特開２０１０−６５３３５号
【発明の概要】
【発明が解決しようとする課題】
【０００４】
特許文献１に記載のかつらでは、ボリュームアップ用パッドであっても、装着者の頭部に接するかつらベースの形状を崩さないようにするため、極めて薄いパッドを挿入するだけなので、髪型の大幅なボリュームアップを実現することは困難である。また、かつらベースの裏面全体が装着者の頭部と接触するようになるので、装着者の頭部の大きさや形状によっては、適正に装着できない虞もある。
【０００５】
本開示は、上記の課題を解決するものであり、様々な大きさ、形状の装着者の頭部に対応可能であり、毛髪の大きなボリュームアップが可能なかつらベース、及びこのかつらベースを用いたかつらを提供することを目的とする。
【課題を解決するための手段】
【０００６】
上記の課題を解決するため、本開示の１つの実施態様は、
装着時に装着者の頭部と対向する面の少なくとも一部の領域で、前記頭部の外形よりも曲率の大きい湾曲形状を有し、
弾性力により前記湾曲形状を保持する形状保持部を備えるかつらベースである。
【０００７】
本開示のその他の実施態様は、
上記のかつらベースに、複数の擬毛が、表面側から表側基布を貫通し、前記表側基布及び裏側基布の間で転回して、前記表側基布を貫通して表面側に出るように植設されたかつらである。
【発明の効果】
【０００８】
本開示によれば、様々な大きさ、形状の装着者の頭部に対応可能であり、毛髪の大きなボリュームアップが可能なかつらベース、及びこのかつらベースを用いたかつらを提供することができる。
【図面の簡単な説明】
【０００９】
【図１】本発明の１つの実施形態に係るかつらベースの外形を模式的に示す斜視図である。
【図２】図１の断面Ａ−Ａを示す側面断面図である。
【図３】図２の矢視Ｂ−Ｂ図であって、かつらベースを裏面側から見た平面図である。
【図４】かつらベースに植設された擬毛を模式的に示す側面断面図である。
【図５】本発明の１つの実施形態に係るかつらを装着者の頭部に装着したところを模式的に示す側面断面図である。
【図６】実際に製造した本発明のかつらの実施例を表面側から示す図（写真）である。
【図７】図６に示すかつらを裏面側から示す図（写真）である。
【発明を実施するための形態】
【００１０】
以下、図面を参照しながら、本開示を実施するための実施形態や実施例を説明する。なお、以下に説明するかつらベースやかつらは、本開示の技術思想を具体化するためのものであって、特定的な記載がない限り、本開示を以下のものに限定しない。各図面が示す部材の大きさや位置関係等は、説明を明確にするため、誇張して示している場合もある。
【００１１】
(本開示の１つの実施形態に係るかつらベース）
はじめに、図１から図３を参照しながら、本発明の１つの実施形態に係るかつらベースの説明を行う。図１は、本発明の１つの実施形態に係るかつらベースの外形を模式的に示す斜視図である。図２は、図１の断面Ａ−Ａを示す側面断面図である。図３は、図２の矢視Ｂ−Ｂ図であって、かつらベースを裏面側から見た平面図である。
【００１２】
本実施形態に係るかつらベース２は、外縁部Ｅで接合された表側基布４及び裏側基布６と、表側基布４及び裏側基布６の間に配置された弾性部材８とを備える。表側基布４及び裏側基布６として、織物や編物からなる任意の布部材を用いることができる。特に、トリコットのような編物を用いる場合には、伸縮性に優れた表側基布４及び裏側基布６を得ることができる。表側基布４及び裏側基布６の材質として、ナイロン、ポリエステル、アクリル等の合成繊維や、綿等の天然繊維、またはそれらの混合物を例示することができる。
表側基布４及び裏側基布６、特に表側基布４を網目部材で形成することもできる。その場合、擬毛を結び付け易くなり、かつら装着時における通気性の向上にも効果的である。
【００１３】
弾性部材８の材質として、ポリウレタンを例示することができる。通気性と形状維持性能を考慮して、最適な硬度のポリウレタンを選定するのが好ましい。表側基布４及び裏側基布６は、溶着により外縁部Ｅを接合することもできるし、縫着により外縁部Ｅを接合することもできる。
更に、表側基布４及び裏側基布６の外縁部Ｅには、縁取部材１４が取り付けられている。縁取部材１４も、溶着または縫着により取り付けることができる。縁取部材１４は、織物や編物からなる布部材から構成され、かつらベース２の強度を増して、かつらベース２の型崩れを抑制することができる。
【００１４】
本実施形態に係るかつらベース２は、表側基布４及び裏側基布６の間に配置された弾性部材８の厚みが略一定の面部１０と、弾性部材８の厚みが面部１０より厚い形状保持部１２とを有する。図２、図３において、装着時には、図面右側が装着者の前頭部側となり、図面左側が後頭部側となる。図２には、仮に、かつらベースを装着者の頭部に装着した場合における、装着者の頭部Ｓの外形を一点鎖線で示している。
【００１５】
かつらベース２の外形は、平面視で略円形であり、表面４Ａ側から見て略円形の中央領域が最も高さが高くなった（裏面６Ａ側から見て中央領域が最も奥に凹んだ）湾曲形状を有している。本実施形態では、装着時の後頭部側の領域に、弾性部材８の厚みが厚い形状保持部１２が位置するようになっている。
【００１６】
湾曲形状について更に詳細に説明すると、装着時に装着者の頭部Ｓと対向する面である、裏面６Ａの少なくとも一部の領域で、頭部Ｓの外形よりも曲率の大きい湾曲形状を有している。つまり、湾曲形状の平均曲率半径Ｒが、対向する装着者の頭部Ｓの平均曲率半径ＲＳより小さく形成されている。
更に詳細に述べれば、かつらベース２の裏面６Ａの少なくとも一部の領域である、主に面部１０に対応する領域が、装着者の頭頂部及び後頭部の一部を覆っている。かつらベース２の裏面６Ａの主に面部１０に対応する領域における平均曲率半径Ｒが、装着者の頭頂部から後頭部にかけての頭部の平均曲率半径ＲＳよりも小さく形成されている。
【００１７】
このようなかつらベース２の具体的な寸法としては、平面視で略円形の外径Ｄが１０ｃｍ以上１５ｃｍ以下の範囲内にあり、表面４Ａ側から見た中央領域の高さＨが２ｃｍ以上５ｃｍ以下の範囲内にある。なお、裏面６Ａ側から見た凹みの深さは、高さＨよりも面部１０の厚み分だけわずかに小さな値となる。また、かつらベース２の裏面６Ａ側の少なくとも一部の領域である、主に面部１０に対応する領域における平均曲率半径Ｒとして、５ｃｍ以上１５ｃｍ以下の範囲内の値を例示することができる。
【００１８】
このような、対向する頭部の外形よりも曲率の大きい湾曲形状を有することより、装着時にかつらベース２の裏面６Ａと対向する頭部Ｓとの間に空間ＣＬが形成される。このような湾曲形状を有するかつらベース２に擬毛を植設して形成されたかつらを装着した場合、空間ＣＬにより、毛髪の大きなボリュームアップを実現でき、かつらベース２の重量を軽減できる。また、かつらベース２及び頭部は、外縁部で接するだけなので、様々な大きさ、形状の装着者の頭部Ｓに対応可能である。更に、かつらベース２の裏面６Ａ及び頭部Ｓの間に空間ＣＬが存在するので、頭部Ｓの温度上昇や蒸れを抑制することもできる。
【００１９】
本実施形態に係るかつらベース２は、基本的に、毛髪のボリュームアップを行いたい箇所に装着する部分かつらとして用いるのが好ましい。ただし、これに限られるものではなく、用途によっては、全体かつらとして用いることもできる。
【００２０】
本実施形態では、形状保持部１２の弾性力により湾曲形状を保持できるので、ボリューム感があり、かつ自然な外観の髪型を容易に維持することができる。特に、形状保持部１２は、面部１０から滑らかな曲面で繋がっているので、仮に、外側からかつらベース２に力が加わって、かつらベース２が変形した場合であっても、不自然な形状を呈することなく、形状保持部１２の弾性力で元の形状に復元するので、かつら装着時に自然な外観を有することができる。
【００２１】
略円形のかつらベース２の周方向に進むと、面部１０から形状保持部１２にかけて滑らかな曲面を形成しながら弾性部材８の厚みが徐々に増して、形状保持部１２の中央領域で最も厚みが厚くなり、その後、滑らかな曲面を形成しながら弾性部材８の厚みが徐々に減って、面部１０に達するようになっている。形状保持部１２は、対称な形に形成されているので、仮に、外側からかつらベース２に力が加わって変形した場合であっても、自然な外形を保つことができる。
【００２２】
形状保持部１２における弾性材８の最大厚みを、面部１０における弾性材８の厚みの２倍から６倍程度にすることを例示できる。更に詳細に述べれば、面部１０における弾性材８の厚みとして、３ｍｍ以上８ｍｍ以下を例示でき、形状保持部１２における弾性材８の最大厚みとして、６ｍｍ以上〜４８ｍｍ以下を例示できる。
形状保持部１２における弾性部材８の厚みをこのような値にすることにより、十分な弾性力を有することができ、かつらベース２が変形した場合であっても、速やかに元の形状に復元させることができる。
【００２３】
かつらベース２の色、特に、表側基布４の表面４Ａの色は、植設する擬毛の色に合わせることもできるし、装着者の頭皮の色に合わせることもできる。更に、領域によって色が変化するように着色することもできる。
【００２４】
（その他の実施形態に係るかつらベース）
上記の実施形態に係るかつらベース２では、弾性部材８の厚みが厚くなった形状保持部１２により、湾曲形状を保持しているが、これに限られるものではない。例えば、湾曲形状に沿って曲げられた樹脂製薄板を、表側基布４及び裏側基布６の間に配置して固定することにより、形状保持部１２を形成することもできる。
【００２５】
この場合には、表側基布４及び裏側基布６の間の厚みを、かつらベース２全域で、ほぼ均一にすることができる。これにより、装着時に、かつらベース２の裏面６Ａと装着者の頭部Ｓとの間の空間ＣＬをより大きくとることができる。
形状保持部１２を樹脂製薄板で形成する場合だけでなく、アルミニウムや銅のような比較的柔らかい金属薄板を用いることもできる。表側基布４及び裏側基布６の間に配置する場合には、装着時に、装着者の頭皮に直接金属が触れることがないので、装着者に不快感を与える虞もない。形状保持部１２として、所定の弾性を有する部材であえれば、その他の任意の部材を用いることができる。
【００２６】
以上のように、本実施形態に係るかつらベース２では、装着時に装着者の頭部Ｓと対向する面（６Ａ）の少なくとも一部の領域で、頭部Ｓの外形よりも曲率の大きい湾曲形状を有するので、当該領域及び頭部Ｓの間に空間ＣＬが形成され、様々な大きさ、形状の装着者の頭部Ｓに対応可能であるとともに、毛髪の大きなボリュームアップが可能となる。更に、弾性力によりこの湾曲形状を保持する形状保持部１２を備えるので、ボリューム感のある自然な外観の髪型を容易に維持することができる。
【００２７】
更に詳細に述べれば、この湾曲形状の平均曲率半径Ｒが、装着時に対向する装着者の頭部Ｓの平均曲率半径ＲＳより小さく形成されている。このような平均曲率半径Ｒにより、装着時に、かつらベース２の裏面６Ａ及び頭部Ｓの間に確実に空間ＣＬを形成することができ、これにより、確実にボリューム感ある髪型を得ることができる。
【００２８】
特に、本実施形態に係るかつらベース２は、外縁部Ｅで接合された表側基布４及び裏側基布６と、表側基布４及び裏側基布６の間に配置された弾性部材８とを備え、弾性部材８の厚みが略一定の面部１０と、弾性部材８の厚みが面部１０より厚い形状保持部１２とが形成されている。このような構成により、毛髪の大きなボリュームアップが可能なかつらベース２を効率的に形成することができる。
【００２９】
形状保持部１２について更に詳細に述べれば、面部１０から形状保持部１２にかけて、滑らかな曲面を呈するように弾性部材８の厚みが徐々に増していくようになっている。このような滑らかな形状により、かつらベース２が変形した場合であっても、不自然な形状を呈することなく、形状保持部１２の弾性力で元の形状に復元するので、かつら装着時に自然な外観を有することができる。
【００３０】
更に詳細に述べれば、本実施形態では、装着時に、湾曲形状が装着者の頭頂部及び後頭部の一部を覆うようになっている。これにより、後頭部に毛髪のボリュームを持たせたい場合でも、容易に所望のヘアスタイルを実現できる。更に、形状保持部１２が装着者の後頭部側に位置するようになっている。このような配置により、厚みの比較的薄い面部１０を、装着時の前頭部及びそれに続く側頭部に配置できる。特に、かつら装着時に露見し易い前頭部に、厚みの薄い面部１０を配置できるので、例えば、自毛に固定するための留め具を取り付けた場合、留め具を容易に取り付けることができるとともに、かつらの装着を露見しにくくすることができる（図７参照）。
【００３１】
なお、後頭部側は、十分な長さ、量の擬毛や自毛で覆われるので、厚みの比較的厚い形状保持部１２が存在しても、露見する可能性は低い。ただし、形状保持部１２を後頭部側に位置するようにする場合に限られるものではなく、用途やヘアスタイルによって、形状保持部１２を前頭部側や側頭部側に位置するようにすることもできる。また、湾曲形状が装着者の頭頂部及び後頭部の一部を覆うように、かつらベース２を装着する場合に限られるものではなく、用途やヘアスタイルによって、湾曲形状が装着者の頭部のその他の任意の領域を覆うようにすることもできる。
【００３２】
本実施形態に係るかつらベース２の具体的な寸法としては、平面形状が略円形であり、略円形の中央領域が最も高さが高くなった湾曲形状を有し、略円形の外径Ｄが１０ｃｍ以上１５ｃｍ以下の範囲内にあり、中央領域の高さＨが２ｃｍ以上５ｃｍ以下の範囲内を例示できる。このような寸法により、確実に、かつらベース２の裏面６Ａ及び頭部Ｓの間に空間ＣＬを形成することができる。
【００３３】
(本開示の１つの実施形態に係るかつら）
次に、図４及び図５を参照しながら、本発明の１つの実施形態に係るかつらの説明を行う。図４は、かつらベースに植設された擬毛を模式的に示す側面断面図である。図５は、  本発明の１つの実施形態に係るかつらを装着者の頭部に装着したところを模式的に示す側面断面図である。本実施形態に係るかつら２０は、上記のかつらベース２に擬毛Ｇを植設することにより形成される。
【００３４】
図４に示すように、複数の擬毛Ｇが、表面４Ａ側から表側基布４を貫通し、表側基布４及び裏側基布６の間で転回して、再び、表側基布４を貫通して表面４Ａ側に出るように植設されている。つまり、擬毛Ｇは、弾性部材８が配置された領域でＵターンして、両端が表面４Ａ側に出ており、擬毛Ｇは、裏側基布５側を貫通することはない。よって、かつら装着時に、擬毛Ｇが装着者の頭皮に当たることがないので、装着時の違和感を与えることがない。
【００３５】
これにより、１本の擬毛Ｇは、かつらベース２から表面４Ａ側に出た第１の領域Ｇ１及び第２の領域Ｇ２、並びに表側基布４及び裏側基布５の間で第１の領域Ｇ１及び第２の領域Ｇ２を繋ぐ第３の領域を有する。そして、第１の領域Ｇ１及び第２の領域Ｇ２を根元領域で、既知の任意の結び方で結び付けることにより、擬毛Ｇが抜け落ちるのを防ぐことができる。
【００３６】
このようにして複数の擬毛Ｇがかつらベース２に植設されて形成されたかつら２０が、装着者の頭部Ｓに装着されたところを、図５に示す。図５から明らかなように、装着時には、かつらベースの裏面６Ａ及び装着者の頭部Ｓの間に、空間ＣＬを有している。
【００３７】
（かつらの製造方法）
かつら２０は、下記のような方法で製造することができる。
＜かつらベース２の製造＞
面部及び形状保持部の厚みに応じて選定されたポリウレタンフォームを準備し、その両側に表側基布４及び裏側基布６を配置する。なお、形状保持部１２に配置されるポリウレタンフォームとして、面部１０に配置されるポリウレタンフォームと異なる硬度、密度のものを採用することもできる。そして、かつらベース２の湾曲形状に対応した凹部を有する上金型、及び湾曲形状に対応した凸部を有する下金型で挟み込んで、熱プレス成形を行う。このとき、表側基布４及び裏側基布６の外縁部Ｅは、上金型の凹部の周囲の平面部、及び下金型の凸部の周囲の平面部により圧着される。その後、互いに接合された表側基布４及び裏側基布６の外縁部Ｅに、補強材として機能する縁取部材１４を縫い付けて、かつらベース２が形成される。
なお、上記のような熱プレス成形でかつらベース２を製造する場合に限られるものではなく、例えば、ブラジャー等に用いる市販のパッドを利用して、かつらベース２を得ることもできる。
【００３８】
＜かつら２０の製造＞
次に、治具を用いて、擬毛Ｇを、表面４Ａ側から表側基布４に貫通させ、表側基布４及び裏側基布６の間で転回させて、再び、表側基布４を貫通させて表面４Ａ側に出す。そして、表面４Ａ側に出た両方の擬毛Ｇで結び目を作る。擬毛Ｇの結び目については、既知の任意の結び方を適用することができる。所定の数の擬毛Ｇについて、この作業を繰り返すことにより、複数の擬毛Ｇが植設されたかつら２０を形成することができる。
【００３９】
以上のように、上記の実施形態に係るかつらベース２に、複数の擬毛Ｇが、表面４Ａ側から表側基布４を貫通し、表側基布４及び裏側基布６の間で転回して、表側基布４を貫通して表面４Ａ側に出るように植設されて、かつら２０が形成される。このかつら２０を装着すれば、かつらベース２の底面６Ａ及び頭部Ｓの間に空間ＣＬが形成され、様々な大きさ、形状の装着者の頭部に対応可能であり、毛髪の大きなボリュームアップが可能となる。更に、弾性力によりこの湾曲形状を保持する形状保持部１２を備えるので、ボリューム感のある自然な外観の髪型を容易に保持することができる。
【００４０】
(実施例）
次に、図６及び図７を参照しながら、実際に上記の実施形態にかかるかつら２０を製造した実施例の説明を行う。図６は、実際に製造した本発明のかつらの実施例を表面側から示す図（写真）である。図７は、図６に示すかつらを裏面側から示す図（写真）である。
【００４１】
本実施例のかつら２０により、様々な大きさ、形状の装着者の頭部Ｓに対応可能であり、毛髪の大きなボリュームアップが可能なことが実証された。
特に、図７に示すように、かつらベース２の裏面側の外縁近傍に３つの留め具３０が縫製により取り付けられている。これらの留め具３０で装着者の自毛を挟み込んで、かつら２０を装着者の頭部に固定することができる。留め具３０は、かつらベース２の装着時における前頭部側、及び両側部に取り得付けられている。かつら装着時に最も目につき易い前頭部側には、弾性部材の厚みが比較的薄い面部１０が形成されているので、留め具３０を取り付け易く、かつら２０の装着が露見しにくい状態で、確実にかつら２０を自毛に固定することができる。
【００４２】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００４３】
２      かつらベース
４      表側基布
４Ａ    表面
６      裏側基布
６Ａ    裏面
８      弾性部材
１０    面部
１２    形状保持部
１４    縁取部材
２０    かつら
３０    留め具
Ｅ      外縁部
Ｇ      擬毛
【要約】
【課題】  様々な大きさ、形状の装着者の頭部に対応可能であり、毛髪の大きなボリュームアップが可能なかつらベース及びかつらを提供する。
【解決手段】  装着時に装着者の頭部Ｓと対向する面６Ａの少なくとも一部の領域で、頭部Ｓの外形よりも曲率の大きい湾曲形状を有し、弾性力により湾曲形状を保持する形状保持部１２を備えるかつらベース２及びかつらを提供する。
【選択図】  図２【図１】
0006657467.tif 000002
【図２】
0006657467.tif 000003
【図３】
0006657467.tif 000004
【図４】
0006657467.tif 000005
【図５】
0006657467.tif 000006
【図６】
0006657467.tif 000007
【図７】
0006657467.tif 000008